(57)【特許請求の範囲】
【請求項１】
所定の周期で配列された複数の円形のトラックを有する円盤状の磁気記録媒体と、
前記磁気記録媒体に対して情報を記録するための磁気ヘッドと、
前記磁気記録媒体に対する前記磁気ヘッドの位置をトラックに沿った方向に移動させる第１の移動手段と、
前記磁気記録媒体に対する前記磁気ヘッドの位置をトラック横断方向に移動させる第２の移動手段と、
前記磁気ヘッド、第１の移動手段および第２の移動手段を制御する制御手段とを備えた磁気記録装置であって、
前記磁気ヘッドは、前記磁気記録媒体に対向する媒体対向面と、前記磁気記録媒体に記録する情報に応じた磁界を発生させるコイルと、前記媒体対向面に配置された一端部を有し、前記コイルによって発生された磁界に対応する磁束を通過させると共に、前記情報を磁気記録媒体に記録するための磁界を前記一端部より発生させる磁極とを備え、
前記記録媒体は、並び連なる複数のトラックを含むと共にこれら複数のトラックにおいて情報の記録が連続的に行われる連続記録領域と、１トラック単位で情報の記録が行われる単記録領域とを有し、前記連続記録領域と単記録領域のトラックの周期は等しく、
前記磁極の一端部の幅は前記トラックの周期よりも大きく、
前記制御手段は、前記連続記録領域に情報を記録する際には、トラック横断方向について、前記磁気記録媒体に対する前記磁気ヘッドの位置がトラックの周期ずつ移動するように、前記第２の移動手段を制御し、前記単記録領域に情報を記録する際には、１トラック置きに記録が行われるように、前記第２の移動手段を制御することを特徴とする磁気記録装置。
【請求項２】
前記磁極の一端部における幅方向に直交する方向の長さは、前記一端部の幅よりも小さいことを特徴とする請求項１記載の磁気記録装置。
【請求項３】
前記トラックの周期は０.２μｍ以下であることを特徴とする請求項１または２記載の磁気記録装置。
【請求項４】
前記磁気ヘッドは、更に、前記磁気記録媒体に記録された情報を再生するための再生素子を備えていることを特徴とする請求項１ないし３のいずれかに記載の磁気記録装置。
【請求項５】
前記記録媒体は、前記磁極の一端部の幅とトラックの幅との差以上の間隔を空けて配置された複数の前記連続記録領域を有することを特徴とする請求項１ないし４のいずれかに記載の磁気記録装置。
【請求項６】
前記磁気記録媒体は、磁化容易軸が磁気記録媒体の面に垂直な方向に向く磁気異方性を有することを特徴とする請求項１ないし５のいずれかに記載の磁気記録装置。
【請求項７】
前記磁気記録媒体には、前記磁気記録媒体に対する前記磁気ヘッドの位置決めのために用いられる位置決め情報が予め記録されていることを特徴とする請求項１ないし６のいずれかに記載の磁気記録装置。
【請求項８】
磁気記録媒体に対向する媒体対向面と、前記磁気記録媒体に記録する情報に応じた磁界を発生させるコイルと、前記媒体対向面に配置された一端部を有し、前記コイルによって発生された磁界に対応する磁束を通過させると共に、前記情報を磁気記録媒体に記録するための磁界を前記一端部より発生させる磁極とを備えた磁気ヘッドを用いて、所定の周期で配列された複数の円形のトラックを有する円盤状の磁気記録媒体に対して情報を記録する磁気記録方法であって、
前記記録媒体は、並び連なる複数のトラックを含むと共にこれら複数のトラックにおいて情報の記録が連続的に行われる連続記録領域と、１トラック単位で情報の記録が行われる単記録領域とを有し、前記連続記録領域と単記録領域のトラックの周期は等しく、
前記磁極の一端部の幅は前記トラックの周期よりも大きく、
磁気記録方法は、
前記連続記録領域に情報を記録する際には、前記磁気記録媒体に対する前記磁気ヘッドの位置をトラックに沿った方向に移動させながら、１つのトラックに情報を記録する手順と、前記磁気記録媒体に対する前記磁気ヘッドの位置をトラック横断方向にトラックの周期分、移動させる手順とを交互に実行し、
前記単記録領域に情報を記録する際には、前記磁気記録媒体に対する前記磁気ヘッドの位置をトラックに沿った方向に移動させながら、１つのトラックに情報を記録する手順と、１トラック置きに記録が行われるように前記磁気記録媒体に対する前記磁気ヘッドの位置を移動させる手順とを交互に実行する
ことを特徴とする磁気記録方法。
【請求項９】
前記トラックの周期は０.２μｍ以下であることを特徴とする請求項８記載の磁気記録方法。
【発明の詳細な説明】
【０００１】
【発明の属する技術分野】
本発明は、情報を磁気記録媒体に記録するために用いられる磁気ヘッド、ならびにこの磁気ヘッドを用いて磁気記録媒体に情報を記録するための磁気記録装置および方法に関する。
【０００２】
【従来の技術】
ハードディスク装置等の磁気記録再生装置における磁気ヘッドとしては、書き込み用の誘導型電磁変換素子を有する記録ヘッドと読み出し用の磁気抵抗効果素子（以下、ＭＲ（Magneto-resistive）素子とも記す。）を有する再生ヘッドとを積層した構造の複合型薄膜磁気ヘッドが広く用いられている。
【０００３】
また、磁気記録再生装置における記録方式には、信号磁化の向きを磁気記録媒体の面内方向（長手方向）とする長手磁気記録方式と、信号磁化の向きを磁気記録媒体の面に対して垂直な方向とする垂直磁気記録方式とがある。垂直磁気記録方式は、長手磁気記録方式に比べて、記録媒体の熱揺らぎの影響を受けにくく、高い線記録密度を実現することが可能であると言われている。
【０００４】
長手磁気記録方式用の磁気ヘッドは、一般的に、記録媒体に対向する媒体対向面と、互いに磁気的に連結され、媒体対向面側においてギャップ部を介して互いに対向する磁極を含む第１および第２の磁性層と、少なくとも一部が第１および第２の磁性層の間に、第１および第２の磁性層に対して絶縁された状態で設けられた薄膜コイルとを備えた構造になっている。
【０００５】
一方、垂直磁気記録方式用の磁気ヘッドには、長手磁気記録方式用の磁気ヘッドと同様の構造のリングヘッドと、一つの主磁極によって記録媒体の面に対して垂直方向の磁界を印加する単磁極ヘッドとがある。単磁極ヘッドを用いる場合には、記録媒体としては一般的に、基板上に軟磁性層と磁気記録層とを積層した２層媒体が用いられる。
【０００６】
ここで、図１４を参照して、垂直磁気記録方式用の単磁極の磁気ヘッドの一例について簡単に説明する。図１４は磁気ヘッドの媒体対向面を示している。図１４に示した磁気ヘッドは、アルティック（Ａｌ2Ｏ3・ＴｉＣ）等のセラミック材料よりなる基板１０１と、この基板１０１の上に形成された絶縁材料よりなる絶縁層１０２と、この絶縁層１０２の上に形成された磁性材料よりなる下部シールド層１０３と、この下部シールド層１０３の上に、絶縁層１０４を介して形成された再生素子としてのＭＲ（磁気抵抗効果）素子１０５と、このＭＲ素子１０５の上に絶縁層１０４を介して形成された磁性材料よりなる上部シールド層１０６とを備えている。下部シールド層１０３から上部シールド層１０６までの部分が再生ヘッドとなる。
【０００７】
図１４に示した磁気ヘッドは、更に、上部シールド層１０６の上に形成された、絶縁材料よりなる絶縁層１０７と、この絶縁層１０７の上に形成された図示しない薄膜コイルと、この薄膜コイルを覆う絶縁材料よりなる絶縁層１０９と、この絶縁層１０９の上に形成された磁極１１０と、この磁極１１０を覆う絶縁材料よりなる保護層１１１とを備えている。上部シールド層１０６から磁極１１０までの部分が記録ヘッドとなる。磁極１１０は記録ヘッドの主磁極に対応し、上部シールド層１０６は記録ヘッドの補助磁極を兼ねている。
【０００８】
ＭＲ素子１０５の一端部と磁極１１０の一端部は媒体対向面に配置されている。磁極１１０は、媒体対向面から離れた位置において上部シールド層１０６に磁気的に接続されている。薄膜コイルは、磁極１１０と上部シールド層１０６との接続部の周りに巻回されている。
【０００９】
図１４において、ＰＷは媒体対向面における磁極１１０の幅（以下、磁極幅と言う。）を表し、ＰＬは媒体対向面における磁極１１０の幅方向と直交する方向の長さ（以下、磁極長と言う。）を表している。
【００１０】
図１５は、情報の記録時における磁気ヘッドの磁極１１０と記録媒体のトラックとの位置関係を表している。記録媒体は、所定の周期で配列された複数のトラック１２０を有している。図１５において、ＴＷはトラック１２０の幅を表し、ＴＰはトラック１２０の周期（トラックピッチ）を表している。トラック１２０の幅ＴＷは磁極幅ＰＷと等しくなっている。
【００１１】
記録媒体に対する情報の記録は、記録媒体に対する磁気ヘッドの位置をトラック１２０に沿った方向に移動させながら行われる。１つのトラック１２０における記録が終了したら、磁気ヘッドは隣のトラック１２０に移動され、同様に記録が行われる。磁極１１０からは記録媒体の面に垂直な方向の成分を含む磁界が発生され、この磁界によって記録媒体に、記録媒体の面に垂直な方向の磁化が生じる。磁極１１０から発生される磁界の方向を切り換えることによって、記録媒体中の磁化の方向が切り換わり、これにより、記録媒体にデジタル情報が記録される。図１５において、トラック１２０中のハッチングを施した部分と他の部分は互いに磁化方向が１８０°異なる磁化パターンを表している。
【００１２】
図１５に示したように、情報の記録時には、磁極１１０から発生する磁界の広がりにより、磁極１１０の幅方向の両側に、記録媒体における磁化を乱す領域が発生する。以下、この領域をサイドイレーズ領域１２１と言う。このサイドイレーズ領域１２１が存在することから、トラック１２０の幅ＴＷはトラック１２０の周期ＴＰよりも小さくなる。
【００１３】
ところで、現在、磁気記録再生装置においては、記録媒体における線記録密度およびトラック密度を大きくすることによって、記録媒体の面記録密度を増大させる傾向にある。そのために、記録媒体と磁気ヘッドの双方の性能向上が求められている。
【００１４】
線記録密度を大きくする方法としては、記録媒体に微細な磁化パターンを記録できるように、記録媒体を構成する磁性粒子の微細化および高保磁力化が行われている。一方、トラック密度を大きくする方法としては、トラック１２０の幅ＴＷを縮小するために、磁極幅ＰＷの縮小が行われている。
【００１５】
一般に、磁気ヘッドによってあるトラック１２０へ情報を書き込んでいるときに隣接するトラック１２０に記録されている情報が誤って消去されるのを防止するために、図１５に示したように、磁気ヘッドの磁極幅ＰＷは、トラック１２０の周期ＴＰよりも小さくなるように設計される。
【００１６】
一方、記録媒体の高保磁力化により、記録ヘッドにはより大きな記録磁界を発生することが求められている。そのため、記録ヘッドの設計においては、より高い効率で大きな記録磁界を発生させるための構造の開発が進められている。また、記録ヘッドにおける磁極に高飽和磁束密度の材料を用いることも進められている。
【００１７】
【発明が解決しようとする課題】
従来、トラック密度を大きくするには、記録ヘッドの磁極幅ＰＷの縮小が必要であった。しかしながら、磁極幅ＰＷを縮小すると、磁束が磁極１１０の先端に到達する前に飽和して、磁極１１０から発生される磁界の強度が低下してしまうという問題点がある。磁束の飽和に伴う磁界強度の低下は、磁極幅ＰＷが０.２μｍ以下、すなわちトラック幅ＴＷが０.２μｍ以下になると顕著になる。
【００１８】
上記の磁束の飽和に伴う磁界強度の低下を抑制するために、磁極長ＰＬを大きくすることが考えられる。しかし、この場合には、以下で説明するように、スキューに起因した問題が発生する。まず、図１６を参照してスキューについて説明する。図１６に示したように、ロータリーアクチュエータによってヘッドの位置決めを行うハードディスク装置では、磁気ヘッドは、ロータリーアクチュエータの回転中心１３４を中心とした円軌道１３５に沿って、記録媒体１３０の記録可能領域１３３内を移動する。この場合、ヘッドのトラック横断方向の位置に応じて、スキューと呼ばれる、円形のトラックの接線に対する磁気ヘッドの傾きが生じる。この傾きの角度をスキュー角と呼ぶ。通常、スキュー角θｓは、磁気ヘッドが記録可能領域１３３内の中間の位置にあるときにほぼ０°となるように設計される。その位置よりも、磁気ヘッドが内周側の位置にあるときに発生するスキュー角θｓは負の値で表され、磁気ヘッドが外周側の位置にあるときに発生するスキュー角θｓは正の値で表される。
【００１９】
次に、図１７ないし図１９を参照して、磁極１１０の磁極長ＰＬを磁極幅ＰＷよりも大幅に大きくした場合のスキューの影響について説明する。図１７ないし図１９は、それぞれ、スキュー角θｓが０°、−１５°、１５°のときのトラック１２０と磁極１１０との位置関係を表している。磁極１１０の断面積（ＰＬ×ＰＷ）を一定にしたままＰＬ／ＰＷを変えた場合を考えると、ＰＬ／ＰＷが大きくなるほど、同じスキュー角であっても、記録媒体に対する磁極１１０の移動方向についての磁極１１０の前縁または後縁が、情報を記録しようとするトラック１２０からはみ出す量が多くなる。そのため、磁極長ＰＬを増大させると、磁極１１０の前縁または後縁が隣接トラック１２０にまたがるようになり、隣接トラック１２０に対する重ね書きが生じてしまう。図１８および図１９において、符号１２２は、隣接トラック１２０において重ね書きが生じる領域を示している。
【００２０】
特に、２層媒体を用いる垂直磁気記録方式においては、磁極１１０の前縁および後縁でそれぞれ位相の異なる記録が行われるため、スキューが生じた場合には、トラック１２０のエッジの近傍に湾曲した残留磁化パターンが生じる（北野、他，“垂直媒体記録特性の記録電流とヘッドスキュー角の影響”，第２４回日本応用磁気学会学術講演概要集，２０００年，第３１２ページ参照）。この湾曲した残留磁化パターンは、記録媒体に記録された情報の質を劣化させる。
【００２１】
また、記録ヘッドの磁極１１０の形成、加工にはリソグラフィー技術が用いられている。現在のレーザーを光源とするリソグラフィー装置では加工寸法の下限が０.２μｍ程度である。それより小さな寸法の加工を行うためには、レーザ光の代わりにＸ線や電子線等を用いたリソグラフィー装置が必要となり、それは装置のコストを増大させ、スループットを低下させるという問題点がある。
【００２２】
このように、従来は、トラック幅ＴＷを縮小するために磁極幅ＰＷを縮小すると磁極１１０から発生される磁界の強度が低下するという問題点と、微細な磁極１１０を形成することが技術的に難しいという問題点により、記録媒体における面記録密度の向上に限界があった。
【００２３】
本発明はかかる問題点に鑑みてなされたもので、その目的は、磁気ヘッドの磁極より発生される磁界の強度の低下を防ぎながら、トラック幅を縮小して記録媒体における面記録密度を向上でき、且つ磁極の形成を容易にした磁気ヘッドならびに磁気記録装置および方法を提供することにある。
【００２４】
【課題を解決するための手段】
本発明の磁気ヘッドは、所定の周期で配列された複数の円形のトラックを有する円盤状の磁気記録媒体に対して情報を記録するものであって、
磁気記録媒体に対向する媒体対向面と、
磁気記録媒体に記録する情報に応じた磁界を発生させるコイルと、
媒体対向面に配置された一端部を有し、コイルによって発生された磁界に対応する磁束を通過させると共に、情報を磁気記録媒体に記録するための磁界を一端部より発生させる磁極とを備え、
磁極の一端部の幅は、磁気記録媒体のトラックの周期よりも大きいものである。
【００２５】
本発明の磁気ヘッドでは、磁極の一端部の幅が磁気記録媒体のトラックの周期よりも大きいが、トラック横断方向について、磁気記録媒体に対する磁気ヘッドの位置をトラックの周期ずつ移動させることにより、各トラックにおいて情報の記録が可能になる。
【００２６】
本発明の磁気ヘッドにおいて、磁極の一端部における幅方向に直交する方向の長さは、一端部の幅よりも小さくてもよい。
【００２７】
また、本発明の磁気ヘッドにおいて、トラックの周期は０.２μｍ以下であってもよい。
【００２８】
また、本発明の磁気ヘッドは、更に、磁気記録媒体に記録された情報を再生するための再生素子を備えていてもよい。
【００２９】
本発明の磁気記録装置は、
所定の周期で配列された複数の円形のトラックを有する円盤状の磁気記録媒体と、
磁気記録媒体に対して情報を記録するための磁気ヘッドと、
磁気記録媒体に対する磁気ヘッドの位置をトラックに沿った方向に移動させる第１の移動手段と、
磁気記録媒体に対する磁気ヘッドの位置をトラック横断方向に移動させる第２の移動手段と、
磁気ヘッド、第１の移動手段および第２の移動手段を制御する制御手段とを備え、
磁気ヘッドは、磁気記録媒体に対向する媒体対向面と、磁気記録媒体に記録する情報に応じた磁界を発生させるコイルと、媒体対向面に配置された一端部を有し、コイルによって発生された磁界に対応する磁束を通過させると共に、情報を磁気記録媒体に記録するための磁界を一端部より発生させる磁極とを備え、磁極の一端部の幅は磁気記録媒体のトラックの周期よりも大きいものである。
【００３０】
本発明の磁気記録装置では、磁極の一端部の幅が磁気記録媒体のトラックの周期よりも大きいが、トラック横断方向について、磁気記録媒体に対する磁気ヘッドの位置をトラックの周期ずつ移動させることにより、各トラックにおいて情報の記録が可能になる。
【００３１】
本発明の磁気記録装置において、磁極の一端部における幅方向に直交する方向の長さは、一端部の幅よりも小さくてもよい。
【００３２】
また、本発明の磁気記録装置において、トラックの周期は０.２μｍ以下であってもよい。
【００３３】
また、本発明の磁気記録装置において、磁気ヘッドは、更に、磁気記録媒体に記録された情報を再生するための再生素子を備えていてもよい。
【００３４】
また、本発明の磁気記録装置において、記録媒体は、並び連なる複数のトラックを含むと共にこれら複数のトラックにおいて情報の記録が連続的に行われる連続記録領域を有し、制御手段は、連続記録領域に情報を記録する際には、トラック横断方向について、磁気記録媒体に対する磁気ヘッドの位置がトラックの周期ずつ移動するように、第２の移動手段を制御してもよい。この場合、記録媒体は、磁極の一端部の幅とトラックの幅との差以上の間隔を空けて配置された複数の連続記録領域を有していてもよい。また、記録媒体は、更に、１トラック単位で情報の記録が行われる単記録領域を有していてもよい。また、制御手段は、単記録領域に情報を記録する際には、トラック横断方向について、磁気記録媒体に対する磁気ヘッドの位置が磁極の一端部の幅以上の距離を１単位として移動するように、第２の移動手段を制御してもよい。
【００３５】
また、本発明の磁気記録装置において、磁気記録媒体は、磁化容易軸が磁気記録媒体の面に垂直な方向に向く磁気異方性を有していてもよい。
【００３６】
また、本発明の磁気記録装置において、磁気記録媒体には、磁気記録媒体に対する磁気ヘッドの位置決めのために用いられる位置決め情報が予め記録されていてもよい。
【００３７】
本発明の磁気記録方法は、磁気記録媒体に対向する媒体対向面と、磁気記録媒体に記録する情報に応じた磁界を発生させるコイルと、媒体対向面に配置された一端部を有し、コイルによって発生された磁界に対応する磁束を通過させると共に、情報を磁気記録媒体に記録するための磁界を一端部より発生させる磁極とを備えた磁気ヘッドを用いて、所定の周期で配列された複数の円形のトラックを有する円盤状の磁気記録媒体に対して情報を記録する方法であって、
磁気ヘッドとして、磁極の一端部の幅が磁気記録媒体のトラックの周期よりも大きい磁気ヘッドを用い、磁気記録媒体に対する磁気ヘッドの位置をトラックに沿った方向に移動させながら、１つのトラックに情報を記録する手順と、
記録する手順と交互に実行され、磁気記録媒体に対する磁気ヘッドの位置をトラック横断方向にトラックの周期分、移動させる手順とを備えたものである。
【００３８】
本発明の磁気記録方法では、磁極の一端部の幅が磁気記録媒体のトラックの周期よりも大きい磁気ヘッドを用い、１つのトラックに情報を記録する手順と、磁気記録媒体に対する磁気ヘッドの位置をトラック横断方向にトラックの周期分、移動させる手順とを交互に実行することにより、各トラックにおいて情報の記録が可能になる。
【００３９】
本発明の磁気記録方法において、トラックの周期は０.２μｍ以下であってもよい。
【００４０】
【発明の実施の形態】
以下、本発明の実施の形態について図面を参照して詳細に説明する。
始めに、図１を参照して、本発明の一実施の形態に係る磁気ヘッドおよび磁気記録方法の概略を説明する。図１は、本実施の形態における磁気ヘッドの磁極と磁気記録媒体のトラックとの位置関係を表している。本実施の形態における磁気記録媒体は、円盤状をなし、所定の周期で配列された複数の円形のトラックを有している。このような磁気記録媒体としては、例えばハードディスクがある。また、本実施の形態における磁気記録媒体は、垂直磁気記録方式用であり、磁化容易軸が磁気記録媒体の面に垂直な方向に向く磁気異方性を有している。図１には複数のトラック２０の一部を示している。図１において、ＴＷはトラック２０の幅を表し、ＴＰはトラック２０の周期（トラックピッチ）を表している。
【００４１】
本実施の形態に係る磁気ヘッドは、磁気記録媒体に対向する媒体対向面と、情報を磁気記録媒体に記録するための磁界を媒体対向面に配置された一端部より発生させる磁極１０とを備えている。本実施の形態において、磁極１０の一端部の幅（以下、磁極幅と言う。）ＰＷは、磁気記録媒体のトラック２０の周期ＴＰよりも大きくなっている。図１には、一例として、磁極幅ＰＷをトラック２０の周期ＴＰの約２倍、具体的には磁極幅ＰＷをＴＰ＋ＴＷとした例を示している。
【００４２】
記録媒体に対する情報の記録は、記録媒体に対する磁気ヘッドの位置をトラック２０に沿った方向に移動させながら行われる。１つのトラック２０における記録が終了したら、磁気ヘッドはトラック２０の周期ＴＰだけ移動され、次のトラック２０における記録が行われる。本実施の形態では、磁極１０の磁極幅ＰＷが、トラック２０の周期ＴＰよりも大きいため、１つのトラック２０に情報を記録する際に、次のトラック２０にも同じ情報が書き込まれてしまう。しかし、１つのトラック２０における記録の終了後に、磁気ヘッドをトラック２０の周期ＴＰだけ移動させて、次のトラック２０における記録を行うことで、次のトラック２０には正規の情報が重ね書きされる。従って、１トラック毎に異なる情報を記録することができる。
【００４３】
磁極１０からは記録媒体の面に垂直な方向の成分を含む磁界が発生され、この磁界によって記録媒体には、記録媒体の面に垂直な方向の磁化が生じる。磁極１０から発生される磁界の方向を切り換えることによって、記録媒体中の磁化の方向が切り換わり、これにより、記録媒体にデジタル情報が記録される。図１において、トラック２０中のハッチングを施した部分と他の部分は互いに磁化方向が１８０°異なる磁化パターンを表している。
【００４４】
図１に示したように、情報の記録時には、磁極１０から発生する磁界の広がりにより、磁極１０の幅方向の両側に、記録媒体における磁化を乱す領域が発生する。以下、この領域をサイドイレーズ領域２１と言う。このサイドイレーズ領域２１が存在することから、トラック２０の幅ＴＷはトラック２０の周期ＴＰよりも小さくなる。
【００４５】
次に、本実施の形態に係る磁気ヘッドについて説明する。本実施の形態に係る磁気ヘッドは、単磁極ヘッドでもよいし、リングヘッドでもよい。図２および図３は単磁極ヘッドとした場合の本実施の形態に係る磁気ヘッドの構成の一例を示し、図４および図５はリングヘッドとした場合の本実施の形態に係る磁気ヘッドの構成の一例を示している。なお、図２および図４は磁気ヘッドの媒体対向面を示し、図３および図５は磁気ヘッドにおける媒体対向面および基板の面に垂直な断面を示している。
【００４６】
図２および図３に示した磁気ヘッド５０は、アルティック（Ａｌ2Ｏ3・ＴｉＣ）等のセラミック材料よりなる基板１と、この基板１の上に形成されたアルミナ（Ａｌ2Ｏ3）等の絶縁材料よりなる絶縁層２と、この絶縁層２の上に形成された磁性材料よりなる下部シールド層３と、この下部シールド層３の上に、絶縁層４を介して形成された再生素子としてのＭＲ（磁気抵抗効果）素子５と、このＭＲ素子５の上に絶縁層４を介して形成された磁性材料よりなる上部シールド層６とを備えている。下部シールド層３から上部シールド層６までの部分が再生ヘッドとなる。
【００４７】
ＭＲ素子５の一端部は、媒体対向面ＡＢＳに配置されている。ＭＲ素子５には、ＡＭＲ（異方性磁気抵抗効果）素子、ＧＭＲ（巨大磁気抵抗効果）素子あるいはＴＭＲ（トンネル磁気抵抗効果）素子等の磁気抵抗効果を示す感磁膜を用いた素子を用いることができる。
【００４８】
図２および図３に示した磁気ヘッド５０は、更に、上部シールド層６の上に形成された、絶縁材料よりなる絶縁層７と、この絶縁層７の上に形成された薄膜コイル８と、この薄膜コイル８を覆う絶縁材料よりなる絶縁層９と、この絶縁層９の上に形成された磁極１０と、この磁極１０を覆う絶縁材料よりなる保護層１１とを備えている。上部シールド層６から磁極１０までの部分が記録ヘッドとなる。なお、媒体対向面ＡＢＳにおいて、上部シールド層６と磁極１０は、絶縁層７および絶縁層９によって隔てられている。磁極１０は記録ヘッドの主磁極に対応し、上部シールド層６は記録ヘッドの補助磁極を兼ねている。
【００４９】
絶縁層７には、媒体対向面ＡＢＳから離れた位置においてコンタクトホール７ａが形成されている。磁極１０の一端部は媒体対向面ＡＢＳに配置されている。また、磁極１０は、媒体対向面ＡＢＳから離れた位置において、コンタクトホール７ａを介して上部シールド層６に磁気的に接続されている。薄膜コイル８は、磁極１０と上部シールド層６との接続部の周りに巻回されている。
【００５０】
図２において、ＰＷは媒体対向面ＡＢＳにおける磁極１０の幅（以下、磁極幅と言う。）を表し、ＰＬは媒体対向面ＡＢＳにおける磁極１０の幅方向と直交する方向の長さ（以下、磁極長と言う。）を表している。
【００５１】
図２および図３に示した磁気ヘッド５０では、薄膜コイル８は、記録媒体に記録する情報に応じた電流が供給されて、記録する情報に応じた磁界を発生させる。磁極１０および上部シールド層６は、薄膜コイル８によって発生された磁界に対応する磁束を通過させる。磁極１０は、情報を記録媒体に記録するための磁界、すなわち記録媒体の面に垂直な方向の成分を含む磁界を、媒体対向面ＡＢＳに配置された一端部より発生する。図２および図３に示した単磁極ヘッドを用いる場合には、記録媒体としては２層媒体を用いるのが好ましい。
【００５２】
図４および図５に示した磁気ヘッド５０では、基板１から上部シールド層６までの部分の構成は、図２および図３に示した磁気ヘッド５０と同様である。図４および図５に示した磁気ヘッド５０は、更に、上部シールド層６の上に形成された、絶縁材料よりなる絶縁層７と、この絶縁層７の上に形成された薄膜コイル８と、この薄膜コイル８を覆う絶縁材料よりなる絶縁層９と、この絶縁層９の上に形成された磁極１０と、この磁極１０を覆う絶縁材料よりなる保護層１１とを備えている。上部シールド層６から磁極１０までの部分が記録ヘッドとなる。
【００５３】
なお、図４および図５に示した磁気ヘッド５０では、図２および図３に示した磁気ヘッド５０とは異なり、媒体対向面ＡＢＳの近傍において、絶縁層７の上には絶縁層９は形成されておらず、磁極１０は、ギャップ部となる絶縁層７を介して上部シールド層６と対向している。また、図４に示したように、媒体対向面ＡＢＳの近傍において、磁極１０、絶縁層７および上部シールド層６の一部の幅は揃えられている。
【００５４】
絶縁層７には、媒体対向面ＡＢＳから離れた位置においてコンタクトホール７ａが形成されている。磁極１０は、媒体対向面ＡＢＳから離れた位置において、コンタクトホール７ａを介して上部シールド層６に磁気的に接続されている。薄膜コイル８は、磁極１０と上部シールド層６との接続部の周りに巻回されている。
【００５５】
図２と同様に、図４において、ＰＷは媒体対向面ＡＢＳにおける磁極１０の磁極幅を表し、ＰＬは媒体対向面ＡＢＳにおける磁極１０の磁極長を表している。
【００５６】
図４および図５に示した磁気ヘッド５０では、薄膜コイル８は、記録媒体に記録する情報に応じた電流が供給されて、記録する情報に応じた磁界を発生させる。磁極１０および上部シールド層６は、薄膜コイル８によって発生された磁界に対応する磁束を通過させる。この磁束は、媒体対向面ＡＢＳにおける磁極１０と上部シールド層６との間のギャップ部より漏れ、これにより、情報を記録媒体に記録するための磁界、すなわち記録媒体の面に垂直な方向の成分を含む磁界が発生される。図４および図５に示したリングヘッドを用いる場合には、記録媒体としては、単層媒体を用いてもよいし、２層媒体を用いてもよい。
【００５７】
本実施の形態では、前述のように、磁極１０の磁極幅ＰＷは、記録媒体のトラック２０の周期ＴＰよりも大きくなっている。また、図２および図４に示したように、磁極１０の磁極長ＰＬは磁極幅ＰＷよりも小さいことが好ましい。また、ＭＲ素子５の幅は、トラック２０の幅ＴＷとほぼ等しくなっている。また、磁極１０の幅方向の中心の位置は、ＭＲ素子５の幅方向の中心の位置から、トラック２０の周期ＴＰの約半分の距離だけ、磁極１０の幅方向の一方の側に偏って配置されている。
【００５８】
次に、図６を参照して、本実施の形態に係る磁気記録再生装置について説明する。この磁気記録再生装置は、本実施の形態に係る磁気記録装置を含むものである。磁気記録再生装置は、互いに所定の間隔を空けて平行に配置された円盤状の複数の記録媒体３０と、これらの記録媒体３０の中心部を貫通し、記録媒体３０を回転させるスピンドル４１と、このスピンドル４１を回転させるスピンドルモータ４２と、このスピンドルモータ４２を駆動するスピンドルモータドライバ４３とを備えている。記録媒体３０は、両面に磁気記録層を有している。各磁気記録層には、それぞれ、所定の周期で配列された複数の円形のトラックが形成されている。スピンドルモータ４２によってスピンドル４１を回転させることによって、複数の記録媒体３０は同じ回転速度で回転される。
【００５９】
磁気記録再生装置は、更に、各記録媒体３０の両面の磁気記録層に対向するように配置される複数の磁気ヘッド５０と、先端部に各磁気ヘッド５０が取り付けられたサスペンション５１と、これらのサスペンション５１の基部が取り付けられたロータリーアクチュエータ５２と、このロータリーアクチュエータ５２を回転させるボイスコイルモータ（以下、ＶＣＭと記す。）５３と、このＶＣＭ５３を駆動するＶＣＭドライバ５４とを備えている。磁気ヘッド５０は、例えば、図２および図３に示した構成、または図４および図５に示した構成となっている。
【００６０】
磁気記録再生装置は、更に、各磁気ヘッド５０に接続された記録再生回路５５と、スピンドルモータドライバ４３、ＶＣＭドライバ５４および記録再生回路５５を制御する制御回路５６とを備えている。記録再生回路５５は、記録媒体３０に情報を記録する際には、記録する情報を変調して記録電流を生成し、この記録電流を磁気ヘッド５０の薄膜コイル８に供給する。また、記録再生回路５５は、記録媒体３０に記録された情報を再生する際には、磁気ヘッド５０のＭＲ素子５の出力信号を入力し、この信号を復調して、情報を再生する。制御回路５６は、例えばマイクロプロセッサによって構成される。
【００６１】
この磁気記録再生装置では、磁気ヘッド５０が記録媒体３０に対向した状態で記録媒体３０を回転させることにより、記録媒体３０に対する磁気ヘッド５０の位置をトラックに沿った方向に移動させる。スピンドル４１、スピンドルモータ４２およびスピンドルモータドライバ４３は、本発明における第１の移動手段に対応する。また、この磁気記録再生装置では、ロータリーアクチュエータ５２によってサスペンション５１を回転させることによって、磁気ヘッド５０を記録媒体３０のトラック横断方向に移動させる。サスペンション５１、ロータリーアクチュエータ５２、ＶＣＭ５３およびＶＣＭドライバ５４は、本発明における第２の移動手段に対応する。また、制御回路５６は、本発明における制御手段に対応する。
【００６２】
図７は、記録媒体３０の片面の記録領域を示している。記録媒体３０は、並び連なる複数のトラックを含むと共にこれら複数のトラックにおいて情報の記録が連続的に行われる連続記録領域３１と、１トラック単位で情報の記録が行われる単記録領域３２とを有している。連続記録領域３１には、主に、画像情報等の大容量の情報が記録される。単記録領域３２には、ファイル管理情報や文書情報のような比較的容量が小さい情報が記録される。連続記録領域３１は、複数設けられていてもよい。単記録領域３２におけるトラックの周期は、連続記録領域３１におけるトラック２０の周期ＴＰの２倍になっている。
【００６３】
次に、本実施の形態に係る磁気記録再生装置の動作について説明する。なお、以下の説明は、本実施の形態に係る磁気記録方法の説明を兼ねている。
【００６４】
まず、図８を参照して、記録媒体３０の連続記録領域３１に情報を記録する際の磁気記録再生装置の動作について説明する。図８は、複数の連続記録領域３１のうちの隣接する２つの連続記録領域３１を、それぞれ符号３１Ａ，３１Ｂで表している。隣接する２つの連続記録領域３１Ａ，３１Ｂの間には、磁極１０の磁極幅ＰＷとトラック２０の幅ＴＷとの差以上の幅の非記録領域３５が形成されている。非記録領域３５には、有効な情報は記録されない。図８では、非記録領域３５の幅をトラック２０の周期ＴＰと等しくしている。
【００６５】
制御回路５６は、例えば記録媒体３０の連続記録領域３１Ａに情報を記録する際には、以下の動作が行われるように、スピンドルモータドライバ４３、ＶＣＭドライバ５４および記録再生回路５５を制御する。連続記録領域３１Ａでは、この連続記録領域３１Ａ内の一方の端のトラック２０（以下、最初のトラック２０と言う。）から記録が開始される。ヘッド５０は、まず、連続記録領域３１Ａ内の最初のトラック２０に位置決めされ、記録媒体に対する磁気ヘッド５０の位置がトラック２０に沿った方向に移動され、最初のトラック２０における記録が行われる。なお、連続記録領域３１Ａに情報を記録する際には、磁極１０の幅方向の中心の位置は、トラック２０の幅方向の中心の位置から、トラック２０の周期ＴＰの約半分の距離だけ、磁極１０の幅方向の一方の側に偏って配置される。
【００６６】
最初のトラック２０における記録が終了したら、磁気ヘッド５０はトラック２０の周期ＴＰだけ移動され、連続記録領域３１Ａ内において、最初のトラックに隣接するトラック２０における記録が行われる。以下、同様の動作が繰り返され、最後に、連続記録領域３１Ａ内の他方の端のトラック２０（以下、最後のトラック２０と言う。）における記録が行われて、連続記録領域３１Ａにおける記録動作が終了する。
【００６７】
図８は、連続記録領域３１Ａ内の最後のトラック２０における記録が行われている状態を表している。最後のトラック２０における情報の記録時には、非記録領域３５にも同じ情報が書き込まれてしまう。しかし、隣り合う連続記録領域３１Ａ，３１Ｂは、非記録領域３５の幅の間隔を空けて配置されているので、非記録領域３５への情報の書き込みは、連続記録領域３１Ｂに記録されている情報に影響を与えることはない。
【００６８】
このように、連続記録領域３１Ａにおいて、複数のトラック２０に渡って情報の記録を連続的に行うことにより、１トラック毎に情報を記録することができる。連続記録領域３１Ｂ等の他の連続記録領域３１における動作も同様である。記録する一連の情報が、連続記録領域３１Ａ内に納まらない場合には、他の連続記録領域３１、例えば連続記録領域３１Ｂにおいて記録動作が続行される。
【００６９】
なお、記録する情報の容量が、連続記録領域３１の記録容量の１以上の整数倍にならない場合には、１つの連続記録領域３１内の一部の領域には情報が記録されず、その領域が無駄になる。しかし、動画情報等の大容量の情報は、通常、数百から数千のトラックに渡って記録される。従って、特に、本実施の形態に係る磁気記録再生装置を、このような大容量の情報を記録する用途に用いる場合には、１つの連続記録領域３１内で生じる無駄な領域は、記録媒体３０の全体の記録容量からみればわずかである。
【００７０】
次に、図９を参照して、記録媒体３０の単記録領域３２に情報を記録する際の磁気記録再生装置の動作について説明する。制御回路５６は、単記録領域３２に情報を記録する際には、以下の動作が行われるように、スピンドルモータドライバ４３、ＶＣＭドライバ５４および記録再生回路５５を制御する。すなわち、単記録領域３２では、磁気ヘッド５０は、単記録領域３２内の所望のトラック２６に位置決めされ、記録媒体に対する磁気ヘッド５０の位置はトラック２６に沿った方向に移動され、トラック２６における記録が行われる。なお、前述のように、単記録領域３２におけるトラック２６の周期は、連続記録領域３１におけるトラック２０の周期ＴＰの２倍である。単記録領域３２内において、更に他のトラック２６にも情報を記録する場合には、磁気ヘッド５０は、トラック２６の周期すなわちＴＰ×２を１単位として移動されて他のトラック２６に位置決めされ、そのトラック２６における記録が行われる。このような動作により、単記録領域３２において、記録を行うトラック２６以外のトラック２６における情報を消去することなく、情報を記録することができる。
【００７１】
なお、単記録領域３２内に、周期がＴＰ×２の複数のトラック２６を設ける代わりに、連続記録領域３１と同様に周期がＴＰの複数のトラック２０を設け、単記録領域３２では、１トラック置きに記録を行うようにしてもよい。この場合も、単記録領域３２において、記録を行うトラック２０以外のトラック２０における情報を消去することなく、情報を記録することができる。
【００７２】
ところで、記録媒体３０には、記録媒体３０に対する磁気ヘッド５０の位置決めのために用いられる位置決め情報としてのサーボ情報が予め記録されている。サーボ情報が記録されるサーボトラックの周期は、例えば、データが記録されるトラック２０の周期ＴＰの１／２〜１／４である。そのため、磁極幅ＰＷがトラック２０の周期ＴＰよりも大きな本実施の形態に係る磁気ヘッド５０を用いて、サーボ情報を記録媒体３０に高密度に記録するのは難しい。しかし、例えば、特開２０００−３３９６８１号公報に開示されているような磁気転写によるサーボ情報の記録方法を用いれば、予め記録媒体３０にサーボ情報を記録しておくことができる。あるいは、記録媒体３０として、例えば、特開平９−１６７３３６号公報に開示されているように、サーボパターンを構成する硬質磁性層が予め物理的に埋め込まれている記録媒体を用いてもよい。例えばこれらの方法を用いて、記録媒体３０にサーボ情報を予め記録しておくことで、磁気ヘッド５０を用いてサーボ情報を記録媒体３０に高密度に記録する際の困難性を回避することができる。
【００７３】
次に、図１０ないし図１３を参照して、本実施の形態の効果について説明する。図１０は、磁気ヘッドの磁極の磁極幅ＰＷおよび磁極長ＰＬと、磁極より発生される磁界の垂直成分の強度Ｈｙとの関係の一例を示したものである。図１０から分かるように、磁界の垂直成分の強度Ｈｙは、磁極の断面積（ＰＬ×ＰＷ）の減少と共に小さくなる。一方、垂直磁気記録方式により記録媒体に情報を記録する場合には、磁界の垂直成分の強度Ｈｙは、記録媒体の保磁力Ｈｃの２倍以上であることが好ましい。図１０に示した例において、記録媒体の保磁力Ｈｃを４０００Ｏｅ（＝４０００×７９Ａ／ｍ）とし、必要な強度Ｈｙを８０００Ｏｅ（＝８０００×７９Ａ／ｍ）とし、磁極の磁極長ＰＬを０．２μｍとすると、磁極の磁極幅ＰＷの下限値は約０．０８μｍとなる。従来の磁気記録再生装置では、記録媒体のトラック幅ＴＷは磁極幅ＰＷと等しいので、上記の場合には、トラック幅ＴＷの下限値も約０．０８μｍとなる。よって、このトラック幅ＴＷの限界により、記録媒体における面記録密度の向上も限界に達する。
【００７４】
必要な強度Ｈｙを維持したまま、磁極幅ＰＷを縮小するために、磁極長ＰＬを大きくすることが考えられる。しかし、磁極長ＰＬを大きくすると、スキューによる悪影響、すなわち隣接トラックに対する重ね書きが生じる。
【００７５】
これに対し、本実施の形態によれば、磁極１０の磁極幅ＰＷを記録媒体３０のトラック２０の周期ＴＰよりも大きくしたので、磁極１０より発生される磁界の強度の低下を防ぎながら、トラック幅ＴＷを縮小してトラック密度を向上させて、記録媒体３０における面記録密度を向上させることができる。例えば、磁極幅ＰＷを上述の例と同様に０．０８μｍとした場合には、本実施の形態では、トラック幅ＴＷを磁極幅ＰＷの約１／２、すなわち約０．０４μｍまで縮小することができる。このように、本実施の形態によれば、磁極１０より発生される磁界の強度の低下を防ぎながら、記録媒体３０における面記録密度を、例えば従来の約２倍に向上させることができる。
【００７６】
また、磁束の飽和に伴う磁界の強度の低下は、磁極幅ＰＷが０．２μｍ以下になると顕著になる。従って、従来は、トラック幅ＴＷが０.２μｍ以下になると磁界の強度の低下が顕著になっていた。これに対し、本実施の形態によれば、磁極幅ＰＷがトラック幅ＴＷよりも大きくなるので、トラック幅ＴＷが０.２μｍ以下であっても、磁極幅ＰＷを０．２μｍよりも大きくして、磁界の強度の低下を抑制することができる。従って、本実施の形態では、トラック幅ＴＷが０.２μｍ以下のときに効果が顕著になる。
【００７７】
また、本実施の形態によれば、同じトラック幅ＴＷおよび同じ磁極長ＰＬの条件で比較すると、従来よりも磁極幅ＰＷを大きくすることができる。従って、本実施の形態によれば、フレームめっき法やドライエッチング法によって形成される磁極１０の製造が容易となり、磁気ヘッドの製造の歩留まりを向上させることができる。
【００７８】
また、本実施の形態によれば、磁極１０より発生される磁界の強度の低下を防ぎながらトラック幅ＴＷを縮小するために、磁極長ＰＬを大きくする必要がない。従って、本実施の形態によれば、スキューによる悪影響を低減することができる。スキューによる悪影響をより低減するためには、磁極１０の磁極長ＰＬは磁極幅ＰＷよりも小さいことが好ましい。
【００７９】
図１１ないし図１３は、磁極１０の磁極長ＰＬが磁極幅ＰＷよりも小さい場合のスキューの影響を説明するための説明図である。図１１ないし図１３は、それぞれ、スキュー角θｓが０°、−１５°、１５°のときのトラック２０と磁極１０との位置関係を表している。図１１ないし図１３と、図１７ないし図１９とを比較すれば、明らかに、磁極１０の磁極長ＰＬを磁極幅ＰＷよりも小さくすることにより、隣接トラック２０に対する重ね書きを防止できることが分かる。
【００８０】
また、特に、２層媒体を用いる垂直磁気記録方式においては、磁極１０の磁極長ＰＬを磁極幅ＰＷよりも小さくすることにより、スキューが生じた場合にトラック２０のエッジの近傍に生じる湾曲した残留磁化パターンを小さくすることができる。これにより、記録媒体３０に記録された情報の質を高めることができる。
【００８１】
また、本実施の形態によれば、記録媒体３０に連続記録領域３１と単記録領域３２とを設けたので、連続記録領域３１に大容量の情報を記録することができると共に、単記録領域３２に小さな容量の情報を効率的に記録することができる。
【００８２】
また、本実施の形態によれば、記録媒体３０が、磁化容易軸が記録媒体３０の面に垂直な方向に向く磁気異方性を有するので、垂直磁気記録方式を用いて記録媒体３０に対する情報の記録を行って、記録媒体３０における線記録密度を向上させることが可能になる。
【００８３】
なお、本発明は上記実施の形態に限定されず、種々の変更が可能である。例えば、実施の形態では、磁極１０の磁極幅ＰＷをトラック２０の周期ＴＰの約２倍とした例を示したが、磁極１０の磁極幅ＰＷはトラック２０の周期ＴＰよりも大きければよい。
【００８４】
また、実施の形態では、本発明を垂直磁気記録方式に適用した例を示したが、本発明は長手磁気記録方式にも適用することができる。この場合には、磁気ヘッド５０としては、例えば、図４および図５に示したリングヘッドを用いることができる。また、この場合には、記録媒体３０としては、磁化容易軸が記録媒体３０の面に平行な方向に向く磁気異方性を有するものを用いるのが好ましい。
【００８５】
【発明の効果】
以上説明したように本発明の磁気記録装置によれば、媒体対向面における磁極の一端部の幅を磁気記録媒体のトラックの周期よりも大きくしたので、磁極より発生される磁界の強度の低下を防ぎながら、トラック幅を縮小して記録媒体における面記録密度を向上させることができると共に、磁極の形成が容易になるという効果を奏する。
【００８９】
また、本発明の磁気記録装置において、磁極の一端部における幅方向に直交する方向の長さが一端部の幅よりも小さい場合には、スキューの影響を低減することができるという効果を奏する。
【００９０】
また、本発明の磁気記録装置において、トラックの周期が０.２μｍ以下である場合には、特に効果が顕著になる。
【００９１】
また、本発明の磁気記録装置によれば、記録媒体は、並び連なる複数のトラックを含むと共にこれら複数のトラックにおける情報の記録が連続的に行われる連続記録領域を有し、制御手段は、連続記録領域に情報を記録する際には、トラック横断方向について、磁気記録媒体に対する磁気ヘッドの位置がトラックの周期ずつ移動するように、第２の移動手段を制御するようにしたので、連続記録領域内の各トラックにおいて情報を記録することが可能になるという効果を奏する。
【００９２】
また、本発明の磁気記録装置において、記録媒体が、磁極の一端部の幅とトラックの幅との差以上の間隔を空けて配置された複数の連続記録領域を有する場合には、各連続記録領域において、他の領域に記録された情報を消去することなく、情報を記録することができるという効果を奏する。
【００９３】
また、本発明の磁気記録装置によれば、記録媒体は、連続記録領域の他に、１トラック単位で情報の記録が行われる単記録領域を有するので、連続記録領域に大容量の情報を記録することができると共に、単記録領域に小さな容量の情報を効率的に記録することができるという効果を奏する。
【００９４】
また、本発明の磁気記録装置によれば、制御手段は、単記録領域に情報を記録する際には、１トラック置きに記録が行われるように、第２の移動手段を制御するようにしたので、単記録領域において、記録を行うトラック以外のトラックにおける情報を消去することなく、情報を記録することができるという効果を奏する。
【００９５】
また、本発明の磁気記録装置において、磁気記録媒体が、磁化容易軸が磁気記録媒体の面に垂直な方向に向く磁気異方性を有する場合には、垂直磁気記録方式を用いて磁気記録媒体に対して情報の記録を行い、磁気記録媒体における線記録密度を向上させることが可能になるという効果を奏する。
【００９６】
また、本発明の磁気記録装置において、磁気記録媒体に、磁気記録媒体に対する磁気ヘッドの位置決めのために用いられる位置決め情報が予め記録されている場合には、磁気ヘッドを用いて位置決め情報を高密度に記録する際の困難性を回避することができるという効果を奏する。
【００９７】
また、本発明の磁気記録方法によれば、媒体対向面における磁極の一端部の幅を磁気記録媒体のトラックの周期よりも大きくしたので、磁極より発生される磁界の強度の低下を防ぎながら、トラック幅を縮小して記録媒体における面記録密度を向上させることができると共に、磁極の形成が容易になるという効果を奏する。
【００９８】
また、本発明の磁気記録方法において、トラックの周期が０.２μｍ以下である場合には、特に効果が顕著になる。
【図面の簡単な説明】
【図１】本発明の一実施の形態における磁気ヘッドの磁極と磁気記録媒体のトラックとの位置関係を表す説明図である。
【図２】本発明の一実施の形態に係る磁気ヘッドの一例における媒体対向面を示す正面図である。
【図３】図２に示した磁気ヘッドの断面図である。
【図４】本発明の一実施の形態に係る磁気ヘッドの他の例における媒体対向面を示す正面図である。
【図５】図４に示した磁気ヘッドの断面図である。
【図６】本発明の一実施の形態に係る磁気記録再生装置の構成を示すブロック図である。
【図７】本発明の一実施の形態における記録媒体の片面の記録領域を示す説明図である。
【図８】記録媒体の連続記録領域に情報を記録する際における図７に示した磁気記録再生装置の動作を説明するための説明図である。
【図９】記録媒体の単記録領域に情報を記録する際における図７に示した磁気記録再生装置の動作を説明するための説明図である。
【図１０】磁気ヘッドの磁極の磁極幅および磁極長と、磁極より発生される磁界の垂直成分の強度との関係の一例を示す特性図である。
【図１１】本発明の一実施の形態においてスキュー角が０°のときのトラックと磁極との位置関係を表す説明図である。
【図１２】本発明の一実施の形態においてスキュー角が−１５°のときのトラックと磁極との位置関係を表す説明図である。
【図１３】本発明の一実施の形態においてスキュー角が１５°のときのトラックと磁極との位置関係を表す説明図である。
【図１４】垂直磁気記録方式用の単磁極の磁気ヘッドの一例における媒体対向面を示す正面図である。
【図１５】図１４に示した磁気ヘッドを用いた情報の記録時における磁気ヘッドの磁極と記録媒体のトラックとの位置関係を表す説明図である。
【図１６】スキューについて説明するための説明図である。
【図１７】スキュー角が０°のときのトラックと磁極との位置関係を表す説明図である。
【図１８】スキュー角が−１５°のときのトラックと磁極との位置関係を表す説明図である。
【図１９】スキュー角が１５°のときのトラックと磁極との位置関係を表す説明図である。
【符号の説明】
３…下部シールド層、４…絶縁層、５…ＭＲ素子、６…上部シールド層、７…絶縁層、８…薄膜コイル、９…絶縁層、１０…磁極、２０…トラック、３０…磁気記録媒体、３１…連続記録領域、３２…単記録領域、４１…スピンドル、４２…スピンドルモータ、４３…スピンドルモータドライバ、５０…磁気ヘッド、５１…サスペンション、５２…ロータリーアクチュエータ、５３…ＶＣＭ、５４…ＶＣＭドライバ、５５…記録再生回路、５６…制御回路。
【図１】
0004236144.tif 000002
【図２】
0004236144.tif 000003
【図３】
0004236144.tif 000004
【図４】
0004236144.tif 000005
【図５】
0004236144.tif 000006
【図６】
0004236144.tif 000007
【図７】
0004236144.tif 000008
【図８】
0004236144.tif 000009
【図９】
0004236144.tif 000010
【図１０】
0004236144.tif 000011
【図１１】
0004236144.tif 000012
【図１２】
0004236144.tif 000013
【図１３】
0004236144.tif 000014
【図１４】
0004236144.tif 000015
【図１５】
0004236144.tif 000016
【図１６】
0004236144.tif 000017
【図１７】
0004236144.tif 000018
【図１８】
0004236144.tif 000019
【図１９】
0004236144.tif 000020